(57)【要約】【課題】光ピックアップのフレキシブル配線基板の処理装置に関する【解決手段】半導体レーザー素子１の端子１ａ、１ｂ、１ｃ、１ｄに接続する重畳回路２を含む電気部品が搭載されるフレキシブル配線基板は、回路を複数に分割するとともに各々接続部１３ａ、１３ｂ、１３ｃ、１３ｄ、１４ａ、１４ｂ、１４ｃ、１４ｄを設け、前記半導体レーザー素子１の端子に、各々の前記接続部１３ａ、１３ｂ、１３ｃ、１３ｄ、１４ａ、１４ｂ、１４ｃ、１４ｄを重ねて接続したものである。【選択図】    図１
2004192705.tif 000002
【特許請求の範囲】
【請求項１】
信号記録媒体に照射する光ビームを発生させる光源として半導体レーザー素子を使用し、該半導体レーザー素子を含む各種光学部品がハウジングに組み込まれる光ピックアップ装置において、半導体レーザー素子の端子に接続する重畳回路を含む電気部品が搭載されるフレキシブル配線基板は、回路を複数に分割するとともに各々接続部を設け、前記半導体レーザー素子の端子に、各々の前記接続部を重ねて接続したことを特徴とする光ピックアップの配線処理装置。
【請求項２】
重畳回路を含む電気回路を搭載したフレキシブル配線基板を第１フレキシブル配線基板と第２フレキシブル配線基板の二つに分割するとともに、前記半導体レーザー素子の端子に分割したフレキシブル配線基板を折り曲げて重ねて接続部を接続したことを特徴とする請求項１に記載の光ピックアップの配線処理装置。
【請求項３】
フレキシブル配線基板の折り曲げ部を複数設けて折り曲げることにより、第１フレキシブル配線基板と第２フレキシブル配線基板の接続部を同一面にしたことを特徴とする請求項２に記載の光ピックアップの配線処理装置。
【発明の詳細な説明】
【０００１】
【発明の属する技術分野】
本発明は、光ピックアップ用高周波重畳が搭載されたフレキシブル配線基板の処理装置に関する。
【０００２】
【従来の技術】
光ピックアップによるＤＶＤの書き込み及び再生時に、半導体レーザー素子に、高周波電流を供給して駆動する高周波重畳法が用いられている方法がよく知られている。この高周波重畳モジュールを構成する発振回路部は、ＩＣ内にトランジスタ等の能動素子と、外付け部品として、インダクタ（Ｌ）、コンデンサ（Ｃ）及び抵抗（Ｒ）等とを組み合わせて構成され、高周波重畳回路より不要輻射として発信されるノイズが制御回路に混入することにより光ピックアップの動作に影響を与えることがあった。
【０００３】
図３は従来に使用されたフレキシブル配線回路の一例を示すブロック図であり、１は記憶媒体に書き込み、または読み取り動作を行うためのレーザービームを放射する半導体レーザー素子であり、レーザー端子１ａ、１ｂ、１ｃ、１ｄの四本の端子が設けられている。２は３００ＭＨｚ〜４５０ＭＨｚの高周波を発信させるための重畳ＩＣ、３は前記重畳ＩＣ２の発信回路に伴う外付けインダクタ（Ｌ）、抵抗（Ｒ）及びコンデンサ（Ｃ）が組み込まれている外付けＬＲＣである。
【０００４】
４および５は前記半導体レーザー素子１と前記重畳ＩＣ間に接続されるＬＣフイルタ、６、７、８、９、１０は不要な周波数を減衰させるＥＭＩフイルタ、１１は各種電気部品が搭載されるフレキシブル配線基板、１１ａ、１１ｂ、１１ｃ、１１ｄは前記フレキシブル配線基板１１内に組み込まれた電気部品からの回路を半導体レーザー素子１の４本のレーザー端子１ａ、１ｂ、１ｃ、１ｄに半田付けされる接続部、１２は制御回路などに接続するコネクターである。
【０００５】
このように構成された各種電気部品は、図３の通り狭いフレキシブル内線基板１１内に電気部品を配置された重畳ＩＣ２により３００ＭＨｚ〜４５０ＭＨｚの高周波が発信されるが、半導体レーザー素子１とＥＭＩフイルタ６、７、８、９、１０までの配線距離が長くなるとともに部品の実装面積が非常に少ないことからアースラインを細く設計せざるを得ず、細くて長い配線パターンはノイズを抑制するのに不向きとなっていた。
【０００６】
【特許文献１】
特開２００１−２３２１６号
【特許文献２】
特開平０６−２３６５７１号
【０００７】
【発明が解決しようとする課題】
最近の光ピックアップは薄型化に移行されており、従来の光ピックアップである厚型においては充分なパターンの強化や適正な部品の配置およびアースラインの強化などで高周波重畳回路により発生するノイズを軽減することが出来た。最近の光ピックアップは薄型化により部品実装面積が非常に少なくなっていることから、適正配置が不可能であることから配線ラインが長くなるとともに、アースラインを太く配置することが出来なくなっている。
【０００８】
また、従来のＤＶＤプレーヤー等においては、重畳回路からの不要輻射によるノイズは筐体を板金で電気回路を覆うことでノイズの混入を排除していたが、最近のＤＶＤプレーヤーにおいては筐体がプラスチック化され、不要輻射に弱いものとなっている。
【０００９】
このように筐体がプラスチック化されたＤＶＤプレーヤーは、光ピックアップ装置に組み込まれた重畳回路からの不要輻射のノイズを軽減する必要があった。
【００１０】
本発明は、斯かる問題を解決した光ピックアップの配線処理装置を提供しようとするものである。
【００１１】
【課題を解決するための手段】
半導体レーザー素子の端子に接続する重畳回路を含む電気部品が搭載されるフレキシブル配線基板は、回路を複数に分割するとともに各々接続部を設け、前記半導体レーザー素子の端子に、各々の前記接続部を重ねて接続したものである。
【００１２】
【実施例】
図１は本発明を説明する要部のブロック図、図２は図１のブロック図によるフレキシブル配線基板の平面図である。図面番号においては従来例と同一番号を使用し、新規番号のみを説明する。図において、１３は半導体レーザー素子１のレーザー端子１ａ、１ｂ、１ｃ、１ｄの４本の端子に接続される第１フレキシブル配線基板であり、半導体レーザー素子１のレーザー端子１ａ、１ｂ、１ｃ、１ｄに半田付けされる接続部１３ａ、１３ｂ、１３ｃ、１３ｄが設けられている。
【００１３】
１４は半導体レーザー素子１に接続される第２フレキシブル配線基板であり、半導体レーザー素子１のレーザー端子１ａ、１ｂ、１ｃ、１ｄに半田付けされる接続部１４ａ、１４ｂ、１４ｃ、１４ｄが設けられ、前記第１フレキシブル配線基板１３と前記第２フレキシブル配線基板１４とは後述されるが、二つのフレキシブル配線基板に分割されている。
【００１４】
このように分割配置された第１フレキシブル配線基板１３と前記第２フレキシブル配線基板１４は、折り曲げ部１５ａと折り曲げ部１５ｂとを同時に上面方向にＵ字型に折り曲げるように整形され、更に折り曲げ部１６ａと折り曲げ部１６ｂも上面方向にＵ字型に折り曲げるように整形されている。
【００１５】
このように折り曲げられたフレキシブル配線基板は接続部を共に同一方向に揃えることができる。半導体レーザー素子１に接続するには、まず、半導体レーザー素子１の端子１ａには前記第１フレキシブル配線基板１３に配置されている接続部１３ａを半田付けし、端子１ｂには接続部１３ｂ、１ｃには接続部１３ｃ、１ｄには接続部１３ｄが半田付けされる。また、半導体レーザー素子１の端子１ａには前記第２フレキシブル配線基板１４に配置されている接続部１４ａを半田付けし、端子１ｂには接続部１４ｂ、１ｃには接続部１４ｃ、１ｄには接続部１４ｄが半田付けされる。
【００１６】
このように接続された第１フレキシブル配線基板１３と第２フレキシブル配線基板１４は２段に重ねて配置することにより、短い配線パターンで設計することが可能となるとともにコンパクト化が可能となった。
【００１７】
【発明の効果】
本発明は、半導体レーザー素子の端子に接続する重畳回路を含む電気部品が搭載されるフレキシブル配線基板は、回路を複数に分割するとともに各々接続部を設け、前記半導体レーザー素子の端子に、各々の前記接続部を重ねて接続したので、コンパクト化が可能となり、フレキシブル配線基板の配線パターンを短くすることができるとともに、アースラインを大きく配線することができるので、重畳ＩＣに接続される配線パターンからの不要輻射を大きく抑えることができる。
【００１８】
また、半導体レーザー素子の端子に半田付けする場合、第１フレキシブル配線基板の接続部を半田付けし、２回折り曲げて第２フレキシブル配線基板の接続部を半田付けしているので半田付け部分が同一面になり半田付けが容易にできるという優れたものである。
【図面の簡単な説明】
【図１】本発明の一実施例のブロック図である。
【図２】図１に示すブロック図であるフレキシブル配線基板を示す斜視図である。
【図３】従来のフレキシブル配線回路の一例を示すブロック図である。
【符号の説明】
１        半導体レーザー素子
１ａ、１ｂ、１ｃ、１ｄ    端子
２        重畳ＩＣ
１３      第１フレキシブル配線基板
１３ａ、１３ｂ、１３ｃ、１３ｄ    接続部
１４      第２フレキシブル配線基板
１４ａ、１４ｂ、１４ｃ、１４ｄ    接続部
１５ａ、１５ｂ    折り曲げ部
１６ａ、１６ｂ    折り曲げ部
【図１】
2004192705.tif 000003
【図２】
2004192705.tif 000004
【図３】
2004192705.tif 000005